(57)【要約】【課題】構造が簡易で、かつコードの出し入れが容易なコード収納装置を提供する。【解決手段】コード収納装置１０は、筐体１２と、コード引き込み部材１６と、コード保持板１８を有し、コード保持板１８は、切欠部１８ｂを支点として振動できるように筐体１２内に設置され、コード引き込み部材１６がコード４４を引き込むのを切欠部１８ａで妨げるようなコード保持板１８の位置が、コード保持板１８の振動範囲内に存在し、さらに、コード引き込み部材１６がコード４４を引き込むのを切欠部１８ａで妨げるような位置にコード保持板１８を配置するバネ丁番２０と、コード保持板１８に接触して、コード引き込み部材１６がコード４４を引き込むのを切欠部１８ａで妨げるような位置からコード保持板１８をずらすコード巻取ボタン２２を有する。【選択図】図４
2011111328.tif 000002
【特許請求の範囲】
【請求項１】
コード通過口を備える筐体と、
コードを引き込むコード引き込み部材と、
コード通過部を備えるコード保持部材と、
を有し、
前記コード保持部材は、その一部分を支点として振動できるように前記筐体内に設置され、
前記コード引き込み部材がコードを引き込むのを前記コード通過部で妨げるような前記コード保持部材の位置が、前記コード保持部材の振動範囲内に存在し、
さらに、
前記コード引き込み部材がコードを引き込むのを前記コード通過部で妨げるような位置に前記コード保持部材を配置する弾性部材と、
前記コード保持部材に接触して、前記コード引き込み部材がコードを引き込むのを前記コード通過部で妨げるような位置から前記コード保持部材をずらす加圧部材と、
を有するコード収納装置。
【請求項２】
請求項１に記載のコード収納装置において、
前記筐体は、コード通過口を複数備えるコード収納装置。
【請求項３】
請求項１または２に記載のコード収納装置において、
前記コード通過部は切り欠き形状を有し、コードの滑り止めをこの切り欠き部分の周辺に設けたコード収納装置。
【請求項４】
請求項１から３のいずれか１項に記載のコード収納装置において、
曲がり部を備える板状部材をさらに有し、
前記コード保持部材は、前記板状部材の曲がり部に嵌め合わせる切欠部を有し、
前記弾性部材は、前記コード保持部材を前記板状部材に嵌め合わせた状態で、前記コード保持部材と前記板状部材との間に配置されたバネ丁番であるコード収納装置。
【請求項５】
請求項４に記載のコード収納装置において、
前記コード通過部は、前記コード保持部材の端部に設けられ、
前記加圧部材は、前記コード通過部とは反対側の端部で前記コード保持部材に接触し、
前記切欠部は、前記コード通過部と、前記加圧部材が前記コード保持部材と接触する個所との間に設けられ、
前記バネ丁番は、前記切欠部と前記コード通過部の間でコード保持部材に接合されるコード収納装置。
【発明の詳細な説明】
【技術分野】
【０００１】  本発明は、病院の診察室、検査室、または手術室等で使用される各種機器に接続された電気コード類で、機器の使用時に不要なコード部分が収納できるコード収納装置に関するものである。
【背景技術】
【０００２】  病院の手術室等で使用される測定器などの各種機器に接続されたコードをそのまま床に這わせておくと作業性が悪くなる。このため、コードを束ねて縛ることによって、コードが床を這うのを防いでいる。しかしながら、測定器などの各種機器は室内で動かして使うことが多いため、コードを束ねて縛っておくと、移動のたびにコードをほどいたり、縛ったりしなければならず手間がかかってしまう。【０００３】  一方、電気掃除機のように、電源コードを巻き取って収納できる機構を備えるものがある。典型的な電気掃除機の電源コード巻き取り部では、ゼンマイバネによってコードを巻き取る方向に力が加えられているコードリールをブレーキで押さえることによって、引き出したコードを固定している。そして、コード収納時にはコード収納ボタンを押すことによって、コードリールを押さえているブレーキをコードリールから離して、コードを巻き取っている。【０００４】  電気掃除機の電源コード巻き取り機構を、医療機器のコード収納に適用することも考えられる。しかし、一般的な医療機器のコードは電気掃除機と比べて長くて太いため、医療機器のコード収納を電気掃除機の電源コード巻き取り機構と同じ構造にすると、大掛かりなコード収納装置になってしまう。
【発明の概要】
【発明が解決しようとする課題】
【０００５】  本発明は、このような事情に鑑みてなされたものであり、簡易な構造で、かつコードの出し入れが容易なコード収納装置を提供することを目的とする。
【課題を解決するための手段】
【０００６】  本発明のコード収納装置のある態様は、コード通過口を備える筐体と、コードを引き込むコード引き込み部材と、コード通過部を備えるコード保持部材と、を有し、コード保持部材は、その一部分を支点として振動できるように筐体内に設置され、コード引き込み部材がコードを引き込むのをコード通過部で妨げるようなコード保持部材の位置が、コード保持部材の振動範囲内に存在し、さらに、コード引き込み部材がコードを引き込むのをコード通過部で妨げるような位置にコード保持部材を配置する弾性部材と、コード保持部材に接触して、コード引き込み部材がコードを引き込むのをコード通過部で妨げるような位置からコード保持部材をずらす加圧部材と、を有する。【０００７】  このコード収納装置において、筐体は、コード通過口を複数備えていてもよい。また、コード通過部は切り欠き形状を有し、コードの滑り止めをこの切り欠き部分の周囲に設けてもよい。また、曲がり部を備える板状部材をさらに有し、コード保持部材は、板状部材の曲がり部に嵌め合わせる切欠部を有し、弾性部材は、コード保持部材を板状部材に嵌め合わせた状態で、コード保持部材と板状部材との間に配置されたバネ丁番であってもよい。【０００８】  また、このコード収納装置において、コード通過部は、コード保持部材の端部に設けられ、加圧部材は、コード通過部とは反対側の端部でコード保持部材に接触し、切欠部は、コード通過部と、加圧部材がコード保持部材と接触する個所との間に設けられ、バネ丁番は、切欠部とコード通過部の間でコード保持部材に接合されてもよい。
【発明の効果】
【０００９】  本発明によれば、のコード収納装置は、構造が簡易で、かつコードの出し入れが容易なコード収納装置が得られる。
【図面の簡単な説明】
【００１０】
【図１】本発明の実施の形態に係るコード収納装置の正面図である。
【図２】本発明の実施の形態に係るコード収納装置の左側面図である。
【図３】本発明の実施の形態に係るコード収納装置の右側面図である。
【図４】本発明の実施の形態に係るコード収納装置の正面図である。
【図５】本発明の実施の形態に係るコード保持板の正面図である。
【図６】本発明の実施の形態に係るコード収納装置の正面図で、コードの動きを説明するための図である。
【図７】本発明の実施の形態に係るコード収納装置の正面図で、コードの動きを説明するための図である。
【図８】本発明の実施の形態に係るコード収納装置の正面図で、コードの動きを説明するための図である。
【図９】本発明の他の実施の形態に係るコード収納装置の部分正面図である。
【発明を実施するための形態】
【００１１】  以下、本発明の実施の形態に係るコード収納装置について、図面を参照しながら説明する。なお、図面はコード収納装置およびその部材等を模式的に表したものであり、これらの実際の寸法および寸法比は、図面上の寸法および寸法比と必ずしも一致していない。また、各実施の形態において、同じ部品には適宜同じ符号を付し、重複説明は適宜省略する。
【００１２】  図１から図４は、本発明の実施の形態に係るコード収納装置１０を示す。図１はコード収納装置１０の正面図、図２はコード収納装置１０の左側面図、図３はコード収納装置１０の右側面図である。図２と図３に示すように、コード収納装置１０は筐体部材１２ａ，１２ｂを備える。例えば、筐体部材１２ａ，１２ｂの一方に凸部を、他方に凹部を設け、筐体部材１２ａ，１２ｂを嵌め合せると筐体１２が組み上がるように、筐体部材１２ａ，１２ｂが構成されている（不図示）。筐体１２は、本実施の形態のように二分割型であってもよいし、一体型や三体以上に分割されるものであってもよい。また、筐体１２の底面にキャスターを設けて、コード収納装置１０の移動を容易にしてもよい。
【００１３】  筐体１２は、コード通過口１４ａ，１４ｂを備えている。本実施の形態のように、コード通過口を複数設けてもよいし、１つだけ設けてもよい。コード通過口を１つだけ備えるコード収納装置１０では、例えば、コードの一端をコード通過口から出し、筐体１２の内側表面に設けられた接続端子にコードの他端を接続し、この接続端子に別のコードを筐体１２の外側から差し込んで使用する。
【００１４】  図４は、コード収納装置１０から筐体部材１２ａを取り除いたときの正面図である。図４に示すように、コード収納装置１０は、コード引き込み部材１６と、コード保持部材であるコード保持板１８と、バネ丁番２０と、コード引き込みボタン２２と、コード保持板支持体２４とを備える。
【００１５】  コード引き込み部材１６は、外力が加えられないとき、筐体１２内部にコード４４を引き込む。コード４４の取り出しと引き込みの仕組みについては後述する。コード引き込み部材１６は、筐体１２の外に設けてもよいが、外観と作業性を考慮すれば、筐体１２の内部に設けるのが好ましい。
【００１６】  コード引き込み部材１６は、固定リール２６と、可動リール２８と、可動リール用レール４０と、可動リール用バネ４２とを備える。固定リール２６は、筐体部材１２ｂに固定されている。可動リール２８は、可動リール用レール４０上を移動できるように、つまり固定リール２６に近づいたり固定リール２６から遠ざかったりするように構成されている。可動リール用バネ４２は、一端が筐体１２に固定されており、他端が中間部材４１を介して可動リール２８に接続されている。可動リール用バネ４２は、コイルバネ、板バネ、または皿バネ等から構成される。
【００１７】  コード引き込み部材１６に何らかの外力が加えられて可動リール２８が固定リール２６に近づくと、可動リール用バネ４２の復元力によって、可動リール２８は固定リール２６から遠ざかろうとする。図４に示すように、コード収納装置１０は、コード保持板１８、固定リール２６、可動リール２８、およびフック４３等の各部品にコード４４を装着した状態で使用する。このとき、コード４４は、固定リール２６と可動リール２８に巻かれている。
【００１８】  図５は、図４における矢印Ａ方向に見たコード保持板１８を示す。コード保持板１８は、例えば金属製の長方形の板状部材であり、その端部に切欠部１８ａを備える。また、コード保持板１８は、切欠部１８ｂを備える。切欠部１８ａにはコード４４が嵌めこまれており、コード収納装置１０からコード４４を取り出すとき、およびコード収納装置１０にコード４４を引き込むとき、切欠部１８ａをコード４４が通過する。
【００１９】  本実施の形態では、コード４４と切欠部１８ａとの間の摩擦を増やすため、コード４４の滑り止めとしてのゴム４６が切欠部１８ａの周囲に設けられている。コード保持板１８が滑りにくい材質でできている場合等には、ゴム４６の設置が省略できる。また、本実施の形態では、コード保持板１８に切欠部１８ａを設けたが、切欠部１８ａに代えてコード４４が通過する孔部を設けてもよい。ただし、コード４４を着脱しやすいので、切欠部１８ａの方が好ましい。
【００２０】  図４に示すように、コード保持板１８は、その一部分、本実施の形態では切欠部１８ｂを支点として振動できるように筐体１２内に設置されている。そして、コード保持板１８の振動範囲内には、コード引き込み部材１６がコード４４を引き込むのを切欠部１８ａで妨げるようなコード保持板１８の位置が存在する。
【００２１】  本実施の形態では、コード保持板１８とコード保持板支持体２４とのなす角度によっては、切欠部１８ａ付近でコード４４に作用する最大摩擦力が、コード引き込み部材１６がコード４４を引き込む力を上回るようにコード収納装置１０構成されている。このため、切欠部１８ａでコード４４が静止するようなコード保持板１８の位置が存在する。コード保持板１８の振動の仕組みについては後述する。
【００２２】  コード保持板支持体２４は、例えば金属製で曲がり部を備えるＳ字状の板状部材であり、筐体部材１２ｂに固定されている。図４に示すように、コード保持板支持体２４の１つの曲がり部付近に、コード保持板１８の切欠部１８ｂを嵌め合わせる。また、バネ丁番２０は、コード保持板１８とコード保持板支持体２４の間に設置され、切欠部１８ａと切欠部１８ｂの間の位置でコード保持板１８に接合されている。
【００２３】  バネ丁番２０によって、コード保持板１８は、コード引き込み部材１６がコード４４を引き込むのを切欠部１８ａで妨げるような位置に配置される。また、バネ丁番２０に外力が加えられないとき、コード保持板１８はこの位置で静止する。すなわち、バネ丁番２０付近において、コード保持板１８がコード保持板支持体２４から離れる方向に動くとき、バネ丁番２０は開くが、バネ丁番２０のバネの復元力によって、コード保持板１８を当初の位置に戻そうとする。
【００２４】  加圧部材であるコード引き込みボタン２２は、頭部２２ａと、尾部２２ｂと、軸部２２ｃと、バネ２２ｄを備える。頭部２２ａと、尾部２２ｂと、軸部２２ｃは、例えば樹脂からなる一体成形物であり、連動して動く。バネ２２ｄは、例えば金属製のコイルバネで、軸部２２ｃの周囲に配置され、頭部２２ａと筐体１２の間で伸縮する。また、コード引き込みボタン２２は、切欠部１８とは反対側の端部でコード保持板１８に接触する。
【００２５】  コード収納装置１０の使用者がコード引き込みボタン２２の頭部２２ａを押すと、バネ２２ｄが縮んで、頭部２２ａ、尾部２２ｂ、および軸部２２ｃが筐体１２の内部方向に動きコード保持板１８に接触する。コード引き込みボタン２２がコード保持板１８に接触すると、コード引き込み部材１６がコード４４を引き込むのを切欠部１８ａで妨げる位置からコード保持板１８がずれる。また、コード収納装置１０の使用者がコード引き込みボタン２２の頭部２２ａを押すのを止めると、バネ２２ｄが復元して、コード引き込みボタン２２は元の位置に戻り、コード保持板１８はコード引き込みボタン２２から加圧されなくなる。これに伴って、コード保持板１８は元の位置に戻る。
【００２６】  つぎに、図６から図８を参照しながら、コード収納装置１０からコード４４を取り出す方法、コード収納装置１０にコード４４を引き込む方法、およびコード保持板１８の振動の仕組みについて説明する。
【００２７】  図６は、コード４４を取り出しているときのコード収納装置１０を示す。図６において、コード収納装置１０の使用者は、矢印方向、つまり図面に向かって左方向にコード４４を引っ張る。すると、コード保持板１８は当初の位置からずれて、切欠部１８ｂを支点として、図面に向かって反時計回りに回転する。コード保持板１８がこのように回転するため、切欠部１８ａ付近でコード４４に作用する摩擦力が減少して、コード収納装置１０からコード４４を取り出せる。この際、固定リール２６および可動リール２８のコード４４との接触部も、図面に向かって反時計回りに回転する。
【００２８】  コード収納装置１０からコード４４を取り出しているとき、図６に示すように、可動リール用バネ４２が伸びる。伸びた可動リール用バネ４２の復元力によって、コード収納装置１０にコード４４が引き込まれそうになるが、それに逆らってコード４４を引っ張り続ける。そして、コード収納装置１０から取り出したコード４４の長さが適当になったら、コード収納装置１０の使用者はコード４４を離す。
【００２９】  なお、コード収納装置１０からコード４４を取り出しているとき、コード４４を強く引っ張り過ぎた場合でも、コード保持板支持体２４によってコード保持板１８の回転が抑制される。すなわち、コード保持板支持体２４の図面に向かって上部が、コード保持板１８の反時計回りの過度の回転を停止させる機能を有している。このため、コード４４を強く引っ張り過ぎた場合のほか、バネ丁番２０の復元力が弱い場合であっても、コード４４が再度ロックされる位置までコード保持板１８が回転するのを防げる。
【００３０】  図７は、コード収納装置１０の使用者がコード収納装置１０から必要量のコード４４を取り出して、コード４４を離した直後のコード収納装置１０を示す。図７に示すように、コード収納装置１０の使用者がコード４４を離すと、コード保持板１８は切欠部１８ｂを支点として、図面に向かって時計回りに回転し当初の位置に戻る。コード保持板１８が当初の位置に戻ると、切欠部１８ａ付近でコード４４に作用する摩擦力は、コード引き込み部材１６がコード４４を引き込む力を上回る。このため、切欠部１８ａでコード４４が静止し、コード収納装置１０から必要量のコード４４が出た状態を維持する。
【００３１】  図８は、コード４４を引き込んでいるときのコード収納装置１０を示す。すなわち、図７のコード収納装置１０の状態で、コード収納装置１０の使用者がコード引き込みボタン２２を押すと図８に示すコード収納装置１０となる。以下の手順で、コード収納装置１０にコード４４を引き込む。
【００３２】  まず、コード収納装置１０の使用者がコード引き込みボタン２２を押す。すると、コード引き込みボタン２２がコード保持板１８に接触する。コード引き込みボタン２２がコード保持板１８に接触すると、コード保持板１８は当初の位置からずれて、切欠部１８ｂを支点として、図面に向かって反時計回りに回転する。コード保持板１８がこのように回転するため、切欠部１８ａ付近でコード４４に作用する摩擦力が減少し、伸びた可動リール用バネ４２が縮んで可動リール２８は固定リール２６から遠ざかる。
【００３３】  このとき、固定リール２６および可動リール２８は、図面に向かって時計回りに回転してコード４４を巻き取る。このようにして固定リール２６および可動リール２８でコード４４を巻き取った後、コード引き込みボタン２２を押すのを止めると、コード保持板１８が当初の位置に戻る。すなわち、コード収納装置１０は、図４に示す状態になる。
【００３４】  以上、図面を参照しながら、本実施の形態に係るコード収納装置１０について説明したが、本発明のコード収納装置は本実施の形態に限定されない。例えば、本実施の形態ではコード保持板支持体２４はＳ字状であるが、コード保持板１８の切欠部１８ｂが嵌め合わせられ、バネ丁番２０が取り付けられる形状であれば、コード保持板支持体２４がＬ字状、Ｉ字状等であってもよい。
【００３５】  図９は、他の実施の形態に係るコード収納装置５０から筐体部材１２ａを取り除いたときの正面図である。図９に示すように、コード収納装置５０では、コード保持板１８、バネ丁番２０、およびコード保持板支持体２４を、固定リール２６と可動リール２８の間に設けている。このため、コード収納装置の小型化が図れる。
【００３６】  また、コード収納装置５０では、コード引き込みボタン２２の代わりにコード引き込みレバー５２を設けている。すなわち、コード引き込みレバー５２は、コード保持板１８に接触して設けられており、コード引き込み部材１６がコード４４を引き込むのを切欠部１８ａで妨げるような位置からコード保持部材１６をずらす加圧部材として機能する。
【００３７】  コード引き込みレバー５２は、図９に示すように、筐体１２に設けられた開口部５４から筐体１２の外部に突出している。図９の図面に向かって下方にコード引き込みレバー５２を動かすと、コード保持板１８が時計回りに回転する。このため、切欠部１８ａ付近でコード４４に作用する摩擦力が減少し、コード４４はコード収納装置５０に引き込まれる。
【符号の説明】
【００３８】  １０，５０・・・コード収納装置、  １２・・・筐体、  １２ａ，１２ｂ・・・筐体部材、  １４ａ，１４ｂ・・・コード通過口、  １６・・・コード引き込み部材、  １８・・・コード保持板、  １８ａ，１８ｂ・・・切欠部、  ２０・・・バネ丁番、  ２２・・・コード引き込みボタン、  ２２ａ・・・頭部、  ２２ｂ・・・尾部、  ２２ｃ・・・軸部、  ２２ｄ・・・バネ、  ２４・・・コード保持板支持体、  ２６・・・固定リール、２８・・・可動リール、  ４０・・・可動リール用レール、  ４１・・・中間部材、  ４２・・・可動リール用バネ、  ４３・・・フック、  ４４・・・コード、  ４６・・・ゴム、  ５２・・・コード引き込みレバー、  ５４・・・開口部
【図１】
2011111328.tif 000003
【図２】
2011111328.tif 000004
【図３】
2011111328.tif 000005
【図４】
2011111328.tif 000006
【図５】
2011111328.tif 000007
【図６】
2011111328.tif 000008
【図７】
2011111328.tif 000009
【図８】
2011111328.tif 000010
【図９】
2011111328.tif 000011